(57)【要約】      （修正有）【課題】紐と違って縛る必要がなく、単に、帯体本体の内側に挿入するだけでよく、取り扱いが容易で、また、新聞紙の折り込みチラシとして新聞紙と一緒に配達が可能であり、配布時の取り扱いも容易な新聞紙結束帯体を提供する。【解決手段】紙製で、環状の帯体に形成された帯体本体１０からなり、帯体本体が、開口を矩形に形成する４本の折り目を有し、折り目でジャッキ状に平坦に押しつぶされた状態の一方の辺の長さが、新聞紙を二つ折りにした平面の大きさであるＡ３小判又はタブロイド判の長手方向の長さと略同一又はそれより小さいと共に、他方の辺の長さが、新聞紙を二つ折りにした平面の大きさであるＡ３小判又はタブロイド判の短手方向の長さと略同一又はそれより小さいことを特徴とする。【選択図】図１
0003183592.tif 000002
【実用新案登録請求の範囲】
【請求項１】
読み終えた新聞紙を、古紙回収に出すにあたって、複数部を１つに束ねる新聞紙収納帯体において、
紙製で、環状の帯体に形成された帯体本体からなり、
該帯体本体が、開口を矩形に形成する４本の折り目を有し、該折り目でジャッキ状に平坦に押しつぶされた状態の一方の辺の長さが、該新聞紙を二つ折りにした平面の大きさであるＡ３小判又はタブロイド判の長手方向の長さと略同一又はそれより小さいと共に、他方の辺の長さが、該新聞紙を二つ折りにした平面の大きさであるＡ３小判又はタブロイド判の短手方向の長さと略同一又はそれより小さいことを特徴とする新聞紙収納帯体。
【請求項２】
読み終えた新聞紙を、古紙回収に出すにあたって、複数部を１つに束ねる新聞紙収納帯体において、
紙製で、環状の帯体に形成された帯体本体からなり、
該帯体本体が、開口を矩形に形成する４本の折り目を有し、両側面がくの字に折り曲げられて平坦に押しつぶされた状態の一方の辺の長さが、該新聞紙を二つ折りにした平面の大きさであるＡ３小判又はタブロイド判の長手方向の長さと略同一又はそれより小さいと共に、他方の辺の長さが、該新聞紙を二つ折りにした平面の大きさであるＡ３小判又はタブロイド判の短手方向の長さと略同一又はそれより小さいことを特徴とする新聞紙収納帯体。
【請求項３】
前記帯体本体が押しつぶされた状態で、Ａ３小判の大きさに二つ折りにされた前記新聞紙の間に収まる面積であることを特徴とする請求項１又は請求項２記載の新聞紙収納帯体。
【請求項４】
前記帯体本体の面が、広告面となっていることを特徴とする請求項１〜請求項３のいずれかに記載の新聞紙収納帯体。
【考案の詳細な説明】
【技術分野】
【０００１】
本考案は、読み終えた新聞紙を、古紙回収に出すにあたって、複数部を１つに束ねる新聞紙結束帯体に関する。
【背景技術】
【０００２】
従来より、読み終えた新聞紙を、古紙回収に出すにあたって、複数部を１つに束ねるには、紐が用いられているが、その他、いろいろな結束のための物が提案されている。例えば、特許文献１に示される結束紐がある。この特許文献１に示される結束紐は、一端側に筒状結束部が形成された紙製の紐体と、一端部にくさび部と、くさび部の鋭角部の先端部に延設又は一体形成された紐部とを有し、筒状結束部に紐体の他端側と逆方向に挿通される紙製のくさび部材とを備えたものとなっている。そして、あらかじめ積み重ねられた新聞紙を、この結束紐で結束し、古紙として資源物回収等に出すことになる。
【０００３】
また、新聞紙収納容器として、紙袋状のものも用いられている。
【先行技術文献】
【特許文献】
【０００４】
【特許文献１】特開２００２−６８２７７号公報
【考案の概要】
【考案が解決しようとする課題】
【０００５】
しかしながら、従来の結束紐は、読み終えた新聞紙を積み上げておくと崩れてしまうため、別の容器が必要であったり、最後に束ねて縛る作業が必要で、非力な高齢者等では、取り扱いが困難である。また、紐を新聞紙に挟んで配布することは可能であるが、配達の途中で抜け落ちる可能性が高く、配布の取り扱いが容易ではない。
【０００６】
また、紙袋状の新聞紙収納容器の場合、中に新聞紙以外のゴミを入れられたりするため、古紙として回収した後に、分別をする必要があり、再生処理が煩雑である。
【０００７】
本考案は、このような事情に鑑みてなされたもので、紐と違って縛る必要がなく、単に、帯体本体の内側に挿入するだけでよく、取り扱いが容易で、また、新聞紙の折り込みチラシとして新聞紙と一緒に配達が可能であり、配布時の取り扱いも容易な新聞紙結束帯体を提供することにある。
【課題を解決するための手段】
【０００８】
請求項１記載の新聞紙収納帯体は、紙製で、環状の帯体に形成された帯体本体からなり、帯体本体が、開口を矩形に形成する４本の折り目を有し、折り目でジャッキ状に平坦に押しつぶされた状態の一方の辺の長さが、新聞紙を二つ折りにした平面の大きさであるＡ３小判又はタブロイド判の長手方向の長さと略同一又はそれより小さいと共に、他方の辺の長さが、新聞紙を二つ折りにした平面の大きさであるＡ３小判又はタブロイド判の短手方向の長さと略同一又はそれより小さいことを特徴とする。
【０００９】
請求項２記載の新聞紙収納帯体は、紙製で、環状の帯体に形成された帯体本体からなり、帯体本体が、開口を矩形に形成する４本の折り目を有し、両側面がくの字に折り曲げられて平坦に押しつぶされた状態の一方の辺の長さが、新聞紙を二つ折りにした平面の大きさであるＡ３小判又はタブロイド判の長手方向の長さと略同一又はそれより小さいと共に、他方の辺の長さが、新聞紙を二つ折りにした平面の大きさであるＡ３小判又はタブロイド判の短手方向の長さと略同一又はそれより小さいことを特徴とする。
【００１０】
請求項３記載の新聞紙収納帯体は、帯体本体が押しつぶされた状態で、Ａ３小判の大きさに二つ折りにされた新聞紙の間に収まる面積であることを特徴とする。
【００１１】
請求項４記載の新聞紙収納帯体は、帯体本体の面が、広告面となっていることを特徴とする。
【考案の効果】
【００１２】
請求項１〜請求項３の考案によれば、帯体本体が紙製で環状の帯体であることから、紐と違って縛る必要がなく、単に、帯体本体の内側に新聞紙を挿入するだけでよく、取り扱いが容易であり、また、帯体本体が、平坦に押しつぶされた状態の一方の辺の長さが、新聞紙を二つ折りにした平面の大きさであるＡ３小判又はタブロイド判の長手方向の長さと略同一又はそれより小さいと共に、他方の辺の長さが、新聞紙を二つ折りにした平面の大きさであるＡ３小判又はタブロイド判の短手方向の長さと略同一又はそれより小さいことから、新聞紙の折り込みチラシとして新聞紙と一緒に配達が可能であり、配布時の取り扱いも容易である。
【００１３】
請求項４の考案によれば、帯体本体の面を広告面とすることで、新聞紙を適宜挿入することで開口が矩形状に開いた状態で、帯体本体の面が広がることになり、古紙として出されるまでの期間、広告塔としての機能を発揮させることができる。
【図面の簡単な説明】
【００１４】
【図１】本考案に係る新聞紙収納帯体の一例を示す斜視図である。
【図２】同新聞紙収納帯体の使用状態を示す斜視図である。
【図３】同新聞紙収納帯体を折り目でジャッキ状に押しつぶした状態を示す説明図である。
【図４】同新聞紙収納帯体の他の使用状態を示す斜視図である。
【図５】同新聞紙収納帯体のさらに他の使用状態を示す斜視図である。
【考案を実施するための形態】
【００１５】
以下、本考案の形態について図面を参照しながら具体的に説明する。図１は、本考案に係る新聞紙収納帯体の一例を示す斜視図である。図２は、同新聞紙収納帯体の使用状態を示す斜視図である。図３は、同新聞紙収納帯体を折り目でジャッキ状に押しつぶした状態を示す説明図である。図４は、同新聞紙収納帯体の他の使用状態を示す斜視図である。図５は、同新聞紙収納帯体のさらに他の使用状態を示す斜視図である。
【００１６】
図において、新聞紙収納帯体１は、読み終えた新聞紙を、古紙回収に出すにあたって、複数部を１つに束ねるものである。実際の使用は、後述するように、日々読み終わった新聞を収納しておき、新聞紙収納帯体１がいっぱいになることで、結束の効果をより発揮するもので、古紙を単に結束する紐と異なり、新聞紙収納容器としての意味合いが大きい。
【００１７】
新聞紙収納帯体１は、紙製で、環状の帯体に形成された帯体本体１０からなる。帯体本体１０が、開口を矩形に形成する４本の折り目１０ａｂを有している。そして、その折り目１０ａｂでジャッキ状に押しつぶすことが可能で、平坦に押しつぶされた状態の一方の辺の長さＡ及び他方の辺の長さＢ（図３を参照）が、所定の長さになるように大きさが定められている。帯体本体１０は、新聞の折り込みチラシに用いられる紙を、帯状で円環状に端部同士を糊付けしたものである。尚、この糊には、古紙と同時に古紙再生処理可能なものが望ましい。
【００１８】
帯体本体１０の平坦に押しつぶされた状態の一方の辺の長さＡ（図３を参照）は、新聞紙Ｎを二つ折りにした平面の大きさであるＡ３小判の長手方向の長さと略同一又はそれより小さい。より具体的には、Ａ３小判の大きさが、２７２．５ｍｍ×４１０ｍｍであることから、長さＡは、４１０ｍｍを最長とし、それよりも短い長さになるように構成されている。ここで、長さＡは、図１及び図３に示すように、隣り合う２つの面の矩形に開口する辺の長さの合計（Ａ１＋Ａ２）である。
【００１９】
また、帯体本体１０の平坦に押しつぶされた状態の他方の辺の長さＢ（図３を参照）は、新聞紙Ｎを二つ折りにした平面の大きさであるＡ３小判の短手方向の長さと略同一又はそれより小さい。より具体的には、Ａ３小判の大きさが、２７２．５ｍｍ×４１０ｍｍであることから、長さＢは、２７２．５ｍｍを最長とし、それよりも短い長さになるように構成されている。
【００２０】
そして、例えば図２に示すように、新聞紙Ｎを二つ折りにして長手方向に帯体本体１０に収納する場合には、長さＡ１は、約２７２．５ｍｍになる。そして、長さＡの最長が４１０ｍｍとすれば、長さＡ２は、１３７．５ｍｍ以下となる。
【００２１】
また、図４に示すように、新聞紙Ｎを三つ折りにして長手方向に帯体本体１０に収納する場合には、長さＡ１は、約２０５ｍｍになる。そして、長さＡの最長が４１０ｍｍとすれば、長さＡ２は、２０５ｍｍ以下となる。
【００２２】
長さＡは、具体的な長さとしては４１０ｍｍが最長となり、最小としては、長さＡ１を約２０５ｍｍとした状態で少なくとも２部の新聞紙Ｎが収納できる長さである。しかしながら、長さＡは、当然にこの最小の長さであっても良いが、後述するように帯体本体１０の各面を、広告を印刷し掲示する面とすることを考慮すると、長さＡは、最大値か又はそれよりもわずかに短い長さが望ましい。
【００２３】
長さＢは、具体的な長さとしては２７２．５ｍｍが最長となり、最小の長さは帯体として機能すれば可能な限り小さくても良いが、後述するように帯体本体１０の各面を、広告を印刷し掲示する面とすることを考慮すると、長さＢは、最大値か又はそれよりもわずかに短い長さが望ましい。
【００２４】
また、長さＡ及び長さＢは、最大値か又はそれよりもわずかに短い長さが望ましいわけではあるが、新聞紙Ｎの折り込みチラシと同様に、二つ折りされた新聞紙Ｎの間に挟まれて配達可能にするためには、帯体本体１０が、折り目でジャッキ状に平坦に押しつぶされた状態で、Ａ３小判の大きさに二つ折りにされた新聞紙Ｎの間に収まる面積であることが望ましい。
【００２５】
尚、新聞紙Ｎを一般大衆紙の大きさで説明したが、タブロイド判（４０８ｍｍ×２７３ｍｍ）のサイズの新聞の場合の長さＡとしては、４０８ｍｍを最長として、長さＢとしては、２７３ｍｍを最長として設定するようにすればよい。
【００２６】
また、帯体本体１０の各面を、広告面１０ａ，１０ｂとして、各種の広告を印刷することも可能である。
【００２７】
このように構成された新聞紙収納帯体１は、図３に示すような折り目でジャッキ状に押しつぶされた状態で、新聞紙Ｎの間に折り込まれ、折り込みチラシと同様に、新聞紙Ｎと共に、配達される。
【００２８】
配達された新聞紙収納帯体１は、図１、図２及び図４に示すように、開口が矩形になるように拡げられる。そして、図２や図４に示すように、読み終わった新聞紙Ｎを、帯体本体１０の内側１０ｃに挿入していく。そして、内側１０ｃがいっぱいになるまで新聞紙Ｎを入れていき、いっぱいになると帯体本体１０が新聞紙Ｎを結束させた状態となって、複数の新聞紙Ｎを一体で取り扱えるようになる。この新聞紙Ｎを結束した状態で、新聞紙Ｎを新聞紙収納帯体１ごと古紙回収に出すようにすればよい。
【００２９】
上述の図１〜図４の新聞紙収納帯体１は、折り目でジャッキ状に平坦に押しつぶされたものであるが、平坦に押しつぶされる方法としては、図５に示す新聞紙収納帯体２ような場合もある。具体的には、図５に示すように、新聞紙収納帯体２の両側面（２０ｂ）がくの字に折り曲げられて平坦に押しつぶされた状態にすることも可能である。
【００３０】
この場合、両側面がくの字に折り曲げられて平坦に押しつぶされた状態の一方の辺の長さＣが、新聞紙Ｎを二つ折りにした平面の大きさであるＡ３小判又はタブロイド判の長手方向の長さと略同一又はそれより小さいと共に、他方の辺の長さＤが、新聞紙Ｎを二つ折りにした平面の大きさであるＡ３小判又はタブロイド判の短手方向の長さと略同一又はそれより小さい。
【００３１】
このように、本実施の形態の新聞紙収納帯体１，２によれば、帯体本体１０，２０が紙製で環状の帯体であることから、紐と違って縛る必要がなく、単に、帯体本体１０，２０の内側１０ｃ，２０ｃに新聞紙Ｎを挿入するだけでよく、取り扱いが容易である。
【００３２】
また、帯体本体１０，２０が、平坦に押しつぶされた状態の一方の辺の長さＡ，Ｃが、新聞紙Ｎを二つ折りにした平面の大きさであるＡ３小判又はタブロイド判の長手方向の長さと略同一又はそれより小さいと共に、他方の辺の長さＢ，Ｄが、新聞紙Ｎを二つ折りにした平面の大きさであるＡ３小判又はタブロイド判の短手方向の長さと略同一又はそれより小さいことから、新聞紙Ｎの折り込みチラシとして新聞紙Ｎと一緒に配達が可能であり、配布時の取り扱いも容易である。
【００３３】
さらに、帯体本体１０，２０の面を広告面１０ａ，１０ｂ，２０ａ，２０ｂとすることで、新聞紙Ｎを適宜挿入することで開口が矩形状に開いた状態で、帯体本体１０，２０の面が広がることになり、古紙として出されるまでの期間、広告塔としての機能を発揮させることができる。特に、開口が矩形状に開いた状態では、広告面１０ａ，１０ｂ，２０ａ，２０ｂが、面として見やすく保持され、広告機能も高い。
【産業上の利用可能性】
【００３４】
本考案により、紐と違って縛る必要がなく、単に、帯体本体の内側に挿入するだけでよく、取り扱いが容易で、また、新聞紙の折り込みチラシとして新聞紙と一緒に配達が可能であり、配布時の取り扱いも容易な新聞紙結束帯体を提供することができる。
【符号の説明】
【００３５】
１・・・・・・新聞紙収納帯体
２・・・・・・新聞紙収納帯体
１０・・・・・帯体本体
１０ａ・・・・広告面
１０ｂ・・・・広告面
１０ｃ・・・・内側
１０ａｂ・・・折り目
２０・・・・・帯体本体
２０ａ・・・・広告面
２０ｂ・・・・広告面
２０ｃ・・・・内側
【図１】
0003183592.tif 000003
【図２】
0003183592.tif 000004
【図３】
0003183592.tif 000005
【図４】
0003183592.tif 000006
【図５】
0003183592.tif 000007